(57)【特許請求の範囲】
【請求項１】
情報処理装置であって、
情報処理を実行する情報処理手段と、
前記情報処理手段が用いる情報を記憶する記憶手段と、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理装置の消費電力が前記スタンバイモードより少なく前記第１の省電力モードより多い、前記情報処理手段に電力を供給せず且つ前記記憶手段に電力を供給する第２の省電力モードのいずれかに移行させる電源制御手段とを備え、
前記情報処理手段は、前記スタンバイモードにおいて予め規定された省電力移行要因を満たし、且つ前記情報処理手段が前記第１の省電力モードが有効であると判断した場合、前記記憶手段に前記情報処理装置が電源オフ状態から電源スイッチがオンされた直後の前記情報処理装置のステータスを示す第１のステータス情報を書き込み、その後、前記第２の省電力モードへの移行を前記電源制御手段に通知し、
前記電源制御手段は、
前記情報処理手段からの通知があったとき、前記情報処理装置を前記スタンバイモードから前記第２の省電力モードに移行させ、
前記第２の省電力モードで電源スイッチがオフされた場合に、前記情報処理装置を前記第２の省電力モードから前記第１の省電力モードに移行させ、
前記電源スイッチがオンされた場合、前記情報処理装置を前記スタンバイモードに移行させ、
前記情報処理手段は、
前記第１の省電力モードで前記電源スイッチがオンされた場合に、前記記憶手段に記憶された前記第１のステータス情報を用いて、前記情報処理装置の起動処理を実行することを特徴とする情報処理装置。
【請求項２】
前記情報処理手段は、前記電源制御手段が前記情報処理装置を前記スタンバイモードから前記第２の省電力モードに移行する場合に、前記記憶手段に第２のステータス情報をさらに書き込み、
前記電源制御手段は、前記第２の省電力モードで予め規定された復帰要因を満たした場合に、前記情報処理装置を前記第２の省電力モードから前記スタンバイモードに移行し、
前記情報処理手段は、前記記憶手段に記憶された前記第２のステータス情報を用いて、前記情報処理装置の復帰処理を実行することを特徴とする請求項１記載の情報処理装置。
【請求項３】
前記第２のステータス情報は、前記第２の省電力モードに移行する直前の前記スタンバイモードにおける前記情報処理装置のステータスを示す情報であることを特徴とする請求項２記載の情報処理装置。
【請求項４】
前記第１のステータス情報が予め格納された補助記憶手段をさらに備え、
前記情報処理手段は、前記補助記憶手段に格納される前記第１のステータス情報を前記記憶手段に転送することを特徴とする請求項１乃至３のいずれか１項に記載の情報処理装置。
【請求項５】
前記記憶手段は、不揮発性のメモリであることを特徴とする請求項１乃至４のいずれ１項に記載の情報処理装置。
【請求項６】
前記第２の省電力モードで前記電源スイッチがオフされた場合に、前記情報処理装置を前記第１の省電力モードに移行させるか否かを設定する設定手段をさらに備え、
前記設定手段によって前記情報処理装置を前記第１の省電力モードに移行させることが設定されている場合には、前記電源制御手段は、前記電源スイッチがオフされた場合に、前記情報処理装置を前記第１の省電力モードに移行し、前記設定手段によって前記情報処理装置を前記第１の省電力モードに移行させることが設定されていない場合には、前記電源制御手段は、前記電源スイッチがオフされた場合に、前記情報処理装置を電源オフ状態にすることを特徴とする請求項１乃至５のいずれか１項に記載の情報処理装置。
【請求項７】
用紙に画像を形成する画像形成手段をさらに備えることを特徴とする請求項１乃至６のいずれか１項に記載の情報処理装置。
【請求項８】
前記スタンバイモードへの復帰要因を検出する復帰要因検出部を更に備え、
前記電源制御手段は、前記第１の省電力モードの場合、前記復帰要因検出部に電力を供給せず、前記第２の省電力モードの場合、前記復帰要因検出部に電力を供給することを特徴とする請求項１乃至７のいずれか１項に記載の情報処理装置。
【請求項９】
情報処理装置であって、
情報処理を実行する情報処理手段と、
前記情報処理手段が用いる情報を記憶する記憶手段と、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理装置の消費電力が前記スタンバイモードより少なく前記第１の省電力モードより多い、前記情報処理手段に電力を供給せず且つ前記記憶手段に電力を供給する第２の省電力モードのいずれかに移行させる電源制御手段とを備え、
前記電源制御手段は、
前記第２の省電力モードで電源スイッチがオフされた場合に、前記情報処理装置を一時的に前記スタンバイモードに移行させた後、前記情報処理装置を前記第１の省電力モードに移行させ、
前記電源スイッチがオンされた場合、前記情報処理装置を前記スタンバイモードに移行させ、
前記情報処理手段は、
前記スタンバイモードへの一時的な移行期間中に前記情報処理手段が前記第１の省電力モードが有効であると判断した場合、前記記憶手段に前記情報処理装置が電源オフ状態から電源スイッチがオンされた直後の前記情報処理装置のステータスを示す第１のステータス情報を書き込み、
前記第１の省電力モードで前記電源スイッチがオンされた場合に、前記記憶手段に記憶された前記第１のステータス情報を用いて、前記情報処理装置の起動処理を実行することを特徴とする情報処理装置。
【請求項１０】
前記情報処理手段は、前記電源制御手段が前記情報処理装置を前記スタンバイモードから前記第２の省電力モードに移行する場合に、前記記憶手段に第２のステータス情報をさらに書き込み、
前記電源制御手段は、前記第２の省電力モードで予め規定された復帰要因を満たした場合に、前記情報処理装置を前記第２の省電力モードから前記スタンバイモードに移行し、
前記情報処理手段は、前記記憶手段に記憶された前記第２のステータス情報を用いて、前記情報処理装置の復帰処理を実行することを特徴とする請求項９記載の情報処理装置。
【請求項１１】
前記第２のステータス情報は、前記第２の省電力モードに移行する直前の前記スタンバイモードにおける前記情報処理装置のステータスを示す情報であることを特徴とする請求項１０記載の情報処理装置。
【請求項１２】
前記第１のステータス情報が予め格納された補助記憶手段をさらに備え、
前記情報処理手段は、前記補助記憶手段に格納される前記第１のステータス情報を前記記憶手段に転送することを特徴とする請求項９乃至１１のいずれか１項に記載の情報処理装置。
【請求項１３】
前記記憶手段は、不揮発性のメモリであることを特徴とする請求項９乃至１２のいずれか１項に記載の情報処理装置。
【請求項１４】
前記第２の省電力モードで前記電源スイッチがオフされた場合に、前記情報処理装置を前記第１の省電力モードに移行させるか否かを設定する設定手段をさらに備え、
前記設定手段によって前記情報処理装置を前記第１の省電力モードに移行させることが設定されている場合には、前記電源制御手段は、前記電源スイッチがオフされた場合に、前記情報処理装置を前記第１の省電力モードに移行し、前記設定手段によって前記情報処理装置を前記第１の省電力モードに移行させることが設定されていない場合には、前記電源制御手段は、前記電源スイッチがオフされた場合に、前記情報処理装置を電源オフ状態にすることを特徴とする請求項９乃至１３のいずれか１項に記載の情報処理装置。
【請求項１５】
前記スタンバイモードへの復帰要因を検出する復帰要因検出部を更に備え、
前記電源制御手段は、前記第１の省電力モードの場合、前記復帰要因検出部に電力を供給せず、前記第２の省電力モードの場合、前記復帰要因検出部に電力を供給することを特徴とする請求項９乃至１４のいずれか１項に記載の情報処理装置。
【請求項１６】
用紙に画像を形成する画像形成手段をさらに備えることを特徴とする請求項９乃至１５のいずれか１項に記載の情報処理装置。
【請求項１７】
情報処理を実行する情報処理手段と、前記情報処理手段が用いる情報を記憶する記憶手段とを有する情報処理装置の制御方法であって、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理装置の消費電力が前記スタンバイモードより少なく前記第１の省電力モードより多い、前記情報処理手段に電力を供給せず且つ前記記憶手段に電力を供給する第２の省電力モードのいずれかに移行させる電源制御ステップと、
前記スタンバイモードにおいて予め規定された省電力移行要因を満たし、且つ前記情報処理手段が前記第１の省電力モードが有効である場合、前記記憶手段に前記情報処理装置が電源オフ状態から電源スイッチがオンされた直後の前記情報処理装置のステータスを示す第１のステータス情報を書き込む書き込みステップと、
前記情報処理装置の起動処理を実行する起動処理実行ステップとを有し、
前記電源制御ステップでは、
前記書き込みステップにおいて前記第１のステータス情報が前記記憶手段に書き込まれた後、前記情報処理装置を前記スタンバイモードから前記第２の省電力モードに移行させ、
前記第２の省電力モードで電源スイッチがオフされた場合に、前記情報処理装置を前記第２の省電力モードから前記第１の省電力モードに移行させ、
前記電源スイッチがオンされた場合、前記情報処理装置を前記スタンバイモードに移行させ、
前記起動処理実行ステップでは、
前記第１の省電力モードで前記電源スイッチがオンされた場合に、前記記憶手段に記憶された前記第１のステータス情報を用いて、前記情報処理装置の起動処理を実行することを特徴とする情報処理装置の制御方法。
【請求項１８】
情報処理を実行する情報処理手段と、前記情報処理手段が用いる情報を記憶する記憶手段とを有する情報処理装置の制御方法であって、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理装置の消費電力が前記スタンバイモードより少なく前記第１の省電力モードより多い、前記情報処理手段に電力を供給せず且つ前記記憶手段に電力を供給する第２の省電力モードのいずれかに移行させる電源制御ステップと、
前記記憶手段に前記情報処理装置が電源オフ状態から電源スイッチがオンされた直後の前記情報処理装置のステータスを示す第１のステータス情報を書き込む書き込みステップと、
前記情報処理装置の起動処理を実行する起動処理実行ステップとを有し、
前記電源制御ステップでは、
前記第２の省電力モードで電源スイッチがオフされた場合に、前記情報処理装置を一時的に前記スタンバイモードに移行した後、前記情報処理装置を前記第１の省電力モードに移行させ、
前記電源スイッチがオンされた場合、前記情報処理装置を前記スタンバイモードに移行させ、
前記書き込みステップでは、
前記スタンバイモードへの一時的な移行期間中、前記第１の省電力モードが有効である場合、前記第１のステータス情報が前記記憶手段に書き込まれ、
前記起動処理実行ステップでは、
前記第１の省電力モードで前記電源スイッチがオンされた場合に、前記記憶手段に記憶された前記第１のステータス情報を用いて、前記情報処理装置の起動処理を実行することを特徴とする情報処理装置の制御方法。
【請求項１９】
請求項１７又は１８に記載の制御方法をコンピュータに実行させるためのプログラム。
【請求項２０】
請求項１９に記載のプログラムが記録されたコンピュータに読み取り可能な記憶媒体。
【発明の詳細な説明】
【技術分野】
【０００１】
本発明は、複数の電力モードを有する情報処理装置に関し、特に、複数の電力モード間の状態遷移に関する。
【背景技術】
【０００２】
近年、情報処理装置の一つである画像形成装置の機能が多機能化するのに伴って、その構成が複雑となり、画像形成装置の起動に要する時間が増大している。
【０００３】
そこで、画像形成装置の起動に要する時間を短縮するための技術が種々提案されている（例えば、特許文献１参照）。
【０００４】
この特許文献１の情報処理装置は、電力モードとして、スタンバイモード、省エネモード（第１の省エネモード）、および、省エネモード（第２の省エネモード）、を有している。第１の省エネモードの情報処理装置では、ＲＡＭおよび復帰に必要な最低限のデバイスのみに通電されている。そして、第１の省エネモードの情報処理装置は、ＲＡＭに第１の省エネモードからの復帰に必要な復帰データ（第１の復帰データ）を格納しておき、当該第１の省エネモードからの復帰イベントが発生すると、ＲＡＭに格納される復帰データをもとに第１の省エネモードからスタンバイモードに復帰する。また、第２の省エネモードの情報処理装置では、復帰に必要な最低限のデバイスのみに通電されている。そして、第２の省エネモードの情報処理装置は、ハードディスクに第２の省エネモードからの復帰に必要な復帰データ（第２の復帰データ）を格納しておき、当該第２の省エネモードからの復帰イベントが発生すると、ハードディスクに格納される復帰データをもとに第２の省エネモードからスタンバイモードに復帰する。
【０００５】
この特許文献１に係る情報処理装置は、スタンバイ状態から第１の省エネモードに移行する際に、第１の復帰データをＲＡＭに格納すると共に、第２の復帰データをハードディスクに格納する。この情報処理装置は、第１の省エネモードの状態で電源スイッチがオフされると、第２の省エネモードに移行する。そして、情報処理装置は、第２の省エネモードで復帰イベントが発生すると、装置全体へ電力が供給され、ハードディスクに格納される第２の復帰データをもとにスタンバイ状態に復帰する。
【先行技術文献】
【特許文献】
【０００６】
【特許文献１】特開２００６−９２４７４号公報
【発明の開示】
【発明が解決しようとする課題】
【０００７】
特許文献１の情報処理装置が第２の省エネモードからスタンバイ状態に復帰するには、ハードディスクから読み出した第２の復帰データをＲＡＭにリストアした後、その第２の復帰データをもとに情報処理装置をスタンバイ状態に復帰させる。ところが、この情報処理装置では、ハードディスクに格納される第２の復帰データをＲＡＭにリストアするのに、時間がかかってしまう。したがって、特許文献１の情報処理装置は、第１の省エネモードで電源スイッチがオフされて第２の省エネモードに移行すると、スタンバイ状態に復帰するまでに時間がかかってしまう。
【０００８】
そこで、本発明は、省電力状態で電源スイッチがオフされた場合に、電源スイッチがオフされた状態からスタンバイ状態に復帰するまでに要する時間を短縮することが可能な情報処理装置、その制御方法、およびその制御方法を実行するためのプログラム、並びに記録媒体を提供することを目的とする。
【課題を解決するための手段】
【０００９】
上記の目的を達成するため、本発明による情報処理装置は、情報処理を実行する情報処理手段と、前記情報処理手段が用いる情報を記憶する記憶手段と、前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理装置の消費電力が前記スタンバイモードより少なく前記第１の省電力モードより多い、前記情報処理手段に電力を供給せず且つ前記記憶手段に電力を供給する第２の省電力モードのいずれかに移行させる電源制御手段とを備え、前記情報処理手段は、前記スタンバイモードにおいて予め規定された省電力移行要因を満たし、且つ前記情報処理手段が前記第１の省電力モードが有効であると判断した場合、前記記憶手段に前記情報処理装置が電源オフ状態から電源スイッチがオンされた直後の前記情報処理装置のステータスを示す第１のステータス情報を書き込み、その後、前記第２の省電力モードへの移行を前記電源制御手段に通知し、前記電源制御手段は、前記情報処理手段からの通知があったとき、前記情報処理装置を前記スタンバイモードから前記第２の省電力モードに移行させ、前記第２の省電力モードで電源スイッチがオフされた場合に、前記情報処理装置を前記第２の省電力モードから前記第１の省電力モードに移行させ、前記電源スイッチがオンされた場合、前記情報処理装置を前記スタンバイモードに移行させ、前記情報処理手段は、前記第１の省電力モードで前記電源スイッチがオンされた場合に、前記記憶手段に記憶された前記第１のステータス情報を用いて、前記情報処理装置の起動処理を実行することを特徴とする。
【００１０】
また、本発明による情報処理装置は、情報処理を実行する情報処理手段と、前記情報処理手段が用いる情報を記憶する記憶手段と、前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理装置の消費電力が前記スタンバイモードより少なく前記第１の省電力モードより多い、前記情報処理手段に電力を供給せず且つ前記記憶手段に電力を供給する第２の省電力モードのいずれかに移行させる電源制御手段とを備え、前記電源制御手段は、前記第２の省電力モードで電源スイッチがオフされた場合に、前記情報処理装置を一時的に前記スタンバイモードに移行させた後、前記情報処理装置を前記第１の省電力モードに移行させ、前記電源スイッチがオンされた場合、前記情報処理装置を前記スタンバイモードに移行させ、前記情報処理手段は、前記スタンバイモードへの一時的な移行期間中に前記情報処理手段が前記第１の省電力モードが有効であると判断した場合、前記記憶手段に前記情報処理装置が電源オフ状態から電源スイッチがオンされた直後の前記情報処理装置のステータスを示す第１のステータス情報を書き込み、前記第１の省電力モードで前記電源スイッチがオンされた場合に、前記記憶手段に記憶された前記第１のステータス情報を用いて、前記情報処理装置の起動処理を実行することを特徴とする。
【発明の効果】
【００１１】
本発明によれば、電源スイッチがオフされた状態からの復帰動作が速やかに行われて、電源スイッチがオフされた状態からの復帰に要する時間を短縮することができる。
【図面の簡単な説明】
【００１２】
【図１】本発明の実施の形態による情報処理装置の一つである画像形成装置の一例についてその構成を示す図である。
【図２】図１に示す画像形成装置の制御系を示すブロック図である。
【図３】図２に示すコントローラ制御部の構成の一例を示すブロック図である。
【図４】図２に示す操作部の構成の一例を示す図である。
【図５】図１に示す画像形成装置の電源状態の遷移を説明するための図である。
【図６】図３に示すコントローラ制御部における電源系統の一例を説明するためのブロック図である。
【図７】図１に示す画像形成装置において省電力状態から他の状態への遷移の第１の例を説明するためのフローチャートである。
【図８】図１に示す画像形成装置においてメインスイッチがオンとされた際の起動を説明するためのフローチャートである。
【図９】図１に示す画像形成装置において省電力状態から他の状態への遷移の第２の例を説明するためのフローチャートである。
【発明を実施するための形態】
【００１３】
以下、本発明の実施の形態による情報処理装置について図面を参照して説明する。但し、この実施の形態に記載されている構成要素は例示であり、この発明の範囲をこれら構成要素のみに限定する趣旨のものではない。また、ここでは、情報処理装置の一例として画像形成装置について説明する。
【００１４】
図１は、本発明の実施の形態による情報処理装置の一つである画像形成装置の一例についてその構成を示す図である。
【００１５】
図示の画像形成装置は、イメージリーダ２００およびプリンタ部３００を備えるとともに、折り装置５００およびフィニッシャ６００を有している。そして、イメージリーダ２００の上側には原稿搬送装置１００が搭載されている。
【００１６】
原稿搬送装置１００は、原稿トレイ１０５にセットされた原稿をその先頭頁から順に１枚ずつ給紙する。原稿は湾曲したパスを通って原稿台ガラス２０５に送られる。
【００１７】
片面に画像を有する原稿（片面原稿）を読み取る際には、原稿台ガラス２０５上の読取位置Ｒ１に片面原稿の後端を位置づける。そして、スキャナユニット２０６を図中左から右へ移動させて、原稿の読取りを行う。この原稿読み取りを原稿固定読み取りモードという。
【００１８】
一方、スキャナユニット２０６を読取位置Ｒ１に固定した状態で、片面原稿を所定の読取り速度で読取位置Ｒ１に移動しつつ原稿の読取りを行うこともある。この原稿読み取りを原稿流し読み取りモードという。いずれの読み取りモードにおいても、読み取りの後原稿は排紙トレイ１０６に排出される。
【００１９】
両面に画像を有する原稿（両面原稿）を読み取る際には、一般に、スキャナユニット２０６によって原稿の表面側の画像を読み取る。そして、原稿搬送装置１００に配置された光学ユニット１１０を用いて原稿の裏面側の画像を読取る。なお、光学ユニット１１０にはイメージセンサおよび光源など（ともに図示せず）が備えられている。
【００２０】
スキャナユニット２０６による読み取りの結果得られた光学像はレンズ２０７を介してイメージセンサ２０８に結像する。イメージセンサ２０８は光学像に応じた電気信号（アナログ信号）を出力する。このアナログ信号はプリンタ制御部（図１には示さず）でデジタル信号である画像データに変換されて、露光制御部３０５に送られる。
【００２１】
露光制御部３０５は画像データに応じたレーザ光を感光ドラム３０６に照射する。これによって、感光ドラム３０６には画像データに応じた静電潜像が形成される。この静電潜像は現像器３０７により現像されてトナー像となる。
【００２２】
カセット３０８および３０９と手差し給紙部３１０のいずれかからシート（用紙）が転写位置に搬送されて、転写部３１２によって感光ドラム３０６上のトナー像がシートに転写される。なお、両面印刷の場合には、両面搬送パス３１１からシートが転写位置に給送されることになる。
【００２３】
トナー像が転写された後シートは定着部３１３に搬送される。そして、定着部３１３はシート上のトナー像を定着処理する。定着処理の後、シートはフラッパ（図示せず）によって、一旦パス３１５からパス３１４に導かれる。そして、シートの後端がパス３１５を抜けると、シートをスイッチバックさせてパス３１６から排出ローラ３１７に導く。
【００２４】
これによって、トナー像が転写された面を下向きの状態（フェイスダウン）として、排出ローラ３１７によりシートが排出される。この排紙を反転排紙という。フェイスダウンでシートを排紙すると、原稿搬送装置１００を用いて複数枚の原稿を読み取ってプリントする場合などにおいて、先頭頁からの頁順で画像形成を行うことができる。
【００２５】
なお、手差し給紙部３１０からＯＨＰシートなどの硬いシートを給送して画像形成を行う際には、当該シートをパス３１５に導くことなく、トナー像が転写された面を上向きの状態（フェイスアップ）のままで排出ローラ３１７から排紙する。
【００２６】
シートの両面に画像形成を行う場合には、定着部３１３からシートをパス３１５およびパス３１４に導く。そして、シートの後端がパス３１５を抜けた直後にシートをスイッチバックさせて、シートをフラッパ（図示せず）によって両面搬送パス３１１に導く。シートは両面搬送パス３１１を通って再度転写位置に送られて、転写部３１２によってトナー像がシートの裏面に転写される。その後、シートは定着部３１３において定着処理が施されて、前述のようにして排紙される。
【００２７】
転写部３１２から両面搬送パス３１１を経由して再び転写部３１２に戻る一巡のパスに、Ａ４又はＢ５などのハーフサイズ用紙が５枚入った状態でも搬送可能なように、パス長およびローラ配置が規定されるとともに、駆動系が分割されている。
【００２８】
なお、両面コピーにおける排紙頁順は、奇数頁が下向きになるように排出される。この結果、両面コピーにおいても頁順を合わせることができる。
【００２９】
図示の画像形成装置では、排出ローラ３１７から排出されたシートは折り装置５００に送られる。ここでは、折り装置５００はシートをＺ折りに折りたたむ処理を行う。Ａ３サイズ又はＢ４サイズのシートにおいて折り処理指定が行われていると、折り装置５００は折り処理を行った後シートをフィニッシャ６００に送くる。
【００３０】
なお、折り処理が指定されていない場合、Ａ３サイズ又はＢ４サイズ以外のサイズのシートについては、折り装置５００は折り処理を行うことなくシートをフィニッシャ６００に送る。
【００３１】
フィニッシャ６００は、例えば、製本処理、綴じ処理、および穴あけなどの処理を行う。フィニッシャ６００の上側には、インサータ７００が搭載されており、インサータ７００は表紙および合紙等をフィニッシャ６００に給送する。
【００３２】
コントローラ制御部４００はイメージリーダ２００、プリンタ部３００、折り装置５００、およびフィニッシャ６００と通信を行って、画像形成装置の制御を行う。
【００３３】
図２は、図１に示す画像形成装置の制御系を示すブロック図である。
【００３４】
図２において、コントローラ制御部４００には、原稿給送装置制御部１０１、イメージリーダ制御部２０１、プリンタ制御部３０１、折り装置制御部５０１、フィニッシャ制御部６０１、および操作部８００が接続されている。さらに、コントローラ制御部４００は外部インターフェース（Ｉ／Ｆ）を介して外部バス４５２に接続されており、図示の例では、外部バス４５２にはコンピュータ４５３が接続されている。なお、外部バス４５２として、例えばネットワークおよびＵＳＢが用いられる。
【００３５】
原稿給送装置制御部１０１はコントローラ制御部４００の制御下で原稿給送装置１００を制御する。イメージリーダ制御部２０１はコントローラ制御部４００の制御下でイメージリーダ２００を制御する。プリンタ制御部３０１はコントローラ制御部４００の制御下でプリンタ部３００を制御する。折り装置制御部５０１はコントローラ制御部４００の制御下で折り装置５００を制御する。フィニッシャ制御部６０１はコントローラ制御部４００の制御下でフィニッシャ６００を制御する。
【００３６】
コントローラ制御部４００は、操作部８００による設定又はコンピュータ４５３からの指示に応じて原稿搬送装置制御部１０１およびイメージリーダ制御部２０１を制御して、原稿読み取りの結果得られた画像データを取得する。さらに、コントローラ制御部４００はプリンタ制御部３０１を制御して画像データに応じてシートに印刷を行う。また、コントローラ制御部４００は折り装置制御部５０１およびフィニッシャ制御部６０１を制御して、シートにステイプル処理又はパンチ穴処理などの処理を実行する。
【００３７】
加えて、コントローラ制御部４００は外部Ｉ／Ｆ４５１を介してコンピュータ４５３からプリントデータ（画像データ）を受けて、当該画像データに応じて印刷処理を行う。そして、コントローラ制御部４００は後述するハードディスク（ＨＤ）に格納された画像データをコンピュータ４５３に送信する。
【００３８】
図３は、図２に示すコントローラ制御部４００の構成の一例を示すブロック図である。
【００３９】
図３において、コントローラ制御部４００はＣＰＵ４０１を有しており、ＣＰＵ４０１でオペレーティングシステム（ＯＳ）が実行される。ＣＰＵ４０１はバスブリッジ４０４が接続され、このバスブリッジ４０４にはＲＯＭ４０２およびＲＡＭ４０３が接続されている。ＲＯＭ４０２にはＣＰＵ４０１の初期起動プログラムが格納され、ＲＡＭ（揮発性メモリ）４０３にはＣＰＵ４０１の制御データが一時的に保存される。また、ＲＡＭ４０３はＣＰＵ４０１の作業領域として用いられる。
【００４０】
なお、ＲＯＭ４０２には、後述する第２の待機状態Ｐ１０３を有効にするか否かを示す設定が保存され、この設定は後述する電源制御部４１０に送られる。
【００４１】
半導体ディスク（補助記憶装置）４０８には、ＯＳを含むメインプログラムが格納されている。また、半導体ディスク４０８には画像形成装置が動作状態である際に画像データが一時的に記憶される。ＨＤＤ（補助記憶装置）４０７は、ユーザが取得した画像データおよび後述する操作部８００において画像を編集した際に得られた画像データが保存される。
【００４２】
図示のように、バスブリッジ４０４には操作部制御部４０６および外部Ｉ／Ｆ制御部４０５が接続され、これら操作部制御部４０６および外部Ｉ／Ｆ制御部４０５は省電力モード復帰要因検出部４１１を介してそれぞれ操作部８００および外部Ｉ／Ｆ４５１に接続される。
【００４３】
ＣＰＵ４０１は、バスブリッジ４０４を介してデバイス制御部４０９と通信を行う。このデバイス制御部４０９は原稿搬送装置制御部１０１、イメージリーダ制御部２０１、プリンタ制御部３０１、折り装置制御部５０１、およびフィニッシャ制御部６０１の制御を司る。
【００４４】
電源制御部４１０は、画像形成装置に電力を供給するためのメインスイッチ（電源スイッチ）３０２の状態を検出して電源制御を行う。つまり、電源制御部４１０は、原稿搬送装置制御部１０１、イメージリーダ制御部２０１、プリンタ制御部３０１、および折り装置制御部５０１、フィニッシャ制御部６０１に対して電源供給制御を行う。
【００４５】
後述する省電力モードおよび第２の待機モードの際の電源制御は、電源制御部４１０によって行われる。また、ＨＤＤ４０７および半導体ディスク４０８ついては、独立して電源が行われ、電源制御部４１３はＨＤＤ４０７および半導体ディスク４０８に対して電源の投入および切断を行う。
【００４６】
省電力モード復帰要因検出部４１１は省電力モードからの復帰要因を検出する。画像形成装置が省電力モードである際に、例えば、操作部８００のメインＳＷキーが押下されるか又は外部Ｉ／Ｆ４５１を介してプリントジョブが投入されると、省電力モード復帰要因検出部４１１はその旨を電源制御部４１０に通知する。これによって、電源制御部４１０は後述するように電力供給（電源供給ともいう）を行って画像形成装置を省電力モードから復帰させる。
【００４７】
図４は、図２に示す操作部８００の構成の一例を示す図である。
【００４８】
操作部８００はＬＣＤ表示部９００を有している。このＬＣＤ表示部９００はＬＣＤ（液晶ディスプレイ）にタッチパネルシートが貼付されている。ＬＣＤ表示部９００には画像形成装置に関する操作画面が表示され、操作画面上のキー操作に応じて当該キー操作の位置情報がコントローラ制御部４００に与えられる。
【００４９】
テンキー８０１はコピー枚数などの数字の入力の際に用いられる。スタートキー８０２は、ユーザ所望の条件を設定した後、複写動作又は原稿の読取り動作を開始する場合などに押圧される。ストップキー８０３は処理中の動作を停止する際に用いられる。省エネキー８０４は、ユーザが画像形成装置を省電力モードに移行する際および省電力モードから復帰する際に用いられる。
【００５０】
ガイドキー８０５は操作部８００における各キーの機能が分からない場合に用いられ、当該ガイドキー８０５を押すとキーの説明がＬＣＤ表示部９００に表示される。コピーモードキー８０６は複写を行う際に用いられる。ファクスキー８０７はファクスに関する設定を行う際に用いられる。ファイルキー８０８はファイルデータを出力する場合に用いられる。プリンタキー８０９はコンピュータ等の外部装置からのプリント出力に関する設定などを行う場合に用いられる。
【００５１】
図５は、図１に示す画像形成装置の電源状態の遷移を説明するための図である。また、図６は、図３に示すコントローラ制御部４００における電源系統の一例を説明するためのブロック図である。
【００５２】
図５および図６を参照して、第１の待機状態Ｐ１００は、商用電源（ＡＣコンセント）３０３がオフの状態であって、画像形成装置に電力が供給されていない状態である（この状態を完全オフ状態ともいう）。第１の待機状態Ｐ１００においては、画像形成装置に電力が全く供給されていないので、電気的な操作の全てが受け付けられない。
【００５３】
商用電源３０３が接続された際に、後述する第２の待機状態Ｐ１０３（第１の省電力モード）が無効であると、電源制御部４１０によって第１の電源３０３を切断することが可能である。
【００５４】
スタンバイ状態（スタンバイモード）Ｐ１０１では、画像形成装置がいつでも動作可能であって、全ての操作が受け付けられる状態にある。このスタンバイ状態Ｐ１０１ではメインスイッチ３０２がオンされて、電源制御部４１０が第１の電源３０４、第１のスイッチ３０５、および第２のスイッチ３０６をオンしている。
【００５５】
省電力状態（第２の省電力モード）Ｐ１０２では、省電力モード復帰要因検出部（復帰要因検出手段）４１１による復帰要因の検出が可能とされ、画像形成装置において、スタンバイ状態Ｐ１０１よりも消費電力が少ない状態である。図示の例では、電源制御部４１０、ＲＡＭ４０３、および省電力モード復帰要因検出部４１１に電力（電源）が供給される。ここでは、電源制御部４１０は、第１の電源３０４および第１のスイッチ３０５をオンして、第２のスイッチ３０６をオフとする。
【００５６】
省電力状態Ｐ１０２では、ＲＡＭ４０３に、画像形成装置がスタンバイ状態から省電力状態Ｐ１０２に移行する直前における画像形成装置で動作するプログラムおよびデータの状態（ステータス）がメモリイメージとして保持される。ここでは、このメモリイメージを省電力用メモリイメージ（第２のステータス情報）と呼ぶ。この省電力メモリイメージは、省電力モードに突入する直前の各ステータス状態を示すものであって、ＣＰＵのステータス（各設定レジスタ情報）、接続されている電子デバイスのステータス、ならびにＯＳやアプリケーションの作業状態をメモリイメージとして作成し、省電力モードからの復帰にはこのメモリイメージから復帰の復元処理を行うための必要なデータである。
【００５７】
第２の待機状態Ｐ１０３は、スタンバイ状態Ｐ１０１への移行を高速に行うための待機状態であり、省電力状態Ｐ１０２よりも消費電力が少ない状態である。第２の待機状態Ｐ１０３では、電源制御部４１０およびＲＡＭ４０３に電力が供給される。電源制御部４１０は、第２のスイッチ３０６および第１のスイッチ３０５をオフして、第１の電源３０４をオンする。これにより、第１の電源３０４からＲＡＭ４０３および電源制御部４１０に電力が供給される。
【００５８】
第２の待機状態Ｐ１０３では、ＲＡＭ４０３に、第１の待機状態Ｐ１００からスタンバイ状態Ｐ１０１に移行した直後における画像形成装置で動作するプログラムおよびデータの状態（ステータス）がメモリイメージとして保持される。ここでは、このメモリイメージを第２の待機用メモリイメージ（第１のステータス情報）と呼ぶ。この第２の待機用メモリイメージは、画像形成装置の起動直後の各ステータス状態を示すものであって、ＣＰＵのステータス（各設定レジスタ情報）、接続されている電子デバイスのステータス、ならびにＯＳやアプリケーションの作業状態をメモリイメージとして作成し、省電力モードからの復帰にはこのメモリイメージから復帰の復元処理を行うための必要なデータである。
【００５９】
ＲＡＭ４０３に保持される省電力用メモリイメージと第２の待機用メモリイメージとには次の相違がある。
【００６０】
前述のように、省電力用メモリイメージは、スタンバイ状態Ｐ１０１から省電力状態Ｐ１０２に移行する直前の画像形成装置の状態（ステータス）を示すメモリイメージであり、例えば、ＬＣＤ表示部９００に表示されている画像が省電力モードに移行する直前の画像であり、この画像は毎回異なることがある。
【００６１】
一方、第２の待機用メモリイメージは、第１の待機状態Ｐ１００からスタンバイ状態Ｐ１０１に移行した直後の画像形成装置の状態（ステータス）を示すメモリイメージである。例えば、ＬＣＤ表示部９００に表示されている画像は、毎回同一の画像であるので、メモリイメージを再利用することができる。
【００６２】
本実施形態では、第２の待機用メモリイメージは、後述するように、予めＨＤＤ４０７又は半導体ディスク４０８に格納される。ここでは、第２の待機用メモリイメージはＨＤＤ４０７に格納するものとして説明する。但し、ハードウェアの構成およびＬＣＤ表示部９００にスタンバイ直後に表示する画像を変更することも可能であるため、定期的に第２の待機用メモリイメージを再生成することは有効である。
【００６３】
例えば、ＣＰＵ４０１が所定の間隔で第１の待機状態Ｐ１００に遷移させて、第１の待機状態Ｐ１００からスタンバイ状態Ｐ１０１に遷移した直後に、ＣＰＵ４０１が第２の待機用メモリイメージを生成するようにしてもよい。
【００６４】
次に、電源制御部４１０における電源遷移の制御について説明する。
【００６５】
第１の待機状態Ｐ１００の際には、電源制御部４１０に電力が供給されない。メインスイッチ３０２がユーザによってオンされると、電源制御部４１０は画像形成装置に電力を供給する。これによって、画像形成装置は初期化状態から起動してスタンバイ状態Ｐ１０１に移行する。
【００６６】
スタンバイ状態Ｐ１０１において、所定の第１の移行要件があると、画像形成装置はスタンバイ状態Ｐ１０１から省電力状態Ｐ１０２に移行する。この第１の移行要件として、例えば、画像形成装置に設定された省電力移行時間が経過したこと又はユーザによる省電力状態Ｐ１０２への移行指示などがある。
【００６７】
いずれにしても、画像形成装置が予め設定された時間（省電力移行時間）の間使用されないと、ＣＰＵ４０１はＲＡＭ４０３に省電力用メモリイメージを生成して、画像形成装置をスタンバイ状態Ｐ１０１から省電力状態Ｐ１０２に移行させる。
【００６８】
省電力状態Ｐ１０２において、所定の第２の移行要件があると、画像形成装置は省電力状態Ｐ１０２からスタンバイ状態Ｐ１０１に移行する（第２の制御手段）。この第２の移行要件として、例えば、図４に示す省エネキー８０４が押下されたこと又は外部Ｉ／Ｆ４５１を介してプリントジョブが投入されたことなどがある。
【００６９】
つまり、省電力モード復帰要因検出部４１１はスタンバイ移行要件（復帰要因）を検出すると、その旨を電源制御部４１０に知らせる。これによって、電源制御部４１０は電源制御を行って、画像形成装置を省電力状態Ｐ１０２からスタンバイ状態Ｐ１０１に移行させる。
【００７０】
スタンバイ状態Ｐ１０１において、所定の第３の移行要件があると、画像形成装置はスタンバイ状態Ｐ１０１から第１の待機状態Ｐ１００に移行する。この第３の移行要件は、例えば、第２の待機状態Ｐ１０３が非有効に設定されていることかつメインスイッチ３０２がオフとされたことである。
【００７１】
第３の移行要件があると、ＣＰＵ４０１はシャットダウンを実行して、電源制御部４１０に第１の待機状態Ｐ１００への移行を指示する。これによって、画像形成装置はスタンバイ状態Ｐ１０１から第１の待機状態Ｐ１００に遷移する。なお、前述の第２の待機用メモリイメージを再生成する場合には、画像形成装置は一度第１の待機状態Ｐ１００に移行する。
【００７２】
スタンバイ状態Ｐ１０１において、所定の第４の移行要件があると、画像形成装置はスタンバイ状態Ｐ１０１から第２の待機状態Ｐ１０３に移行する。この第４の移行要件は第２の待機状態Ｐ１０３が有効に設定されていることかつメインスイッチ３０２がオフとされたことである。
【００７３】
第４の移行要件があると、ＣＰＵ４０１はＲＡＭ４０３に第２の待機用メモリイメージを保持して、電源制御部４１０に第２の待機状態Ｐ１０３への移行を指示する。これによって、画像形成装置はスタンバイ状態Ｐ１０２から第２の待機状態Ｐ１０３に移行する。
【００７４】
第２の待機状態Ｐ１０３において、所定の第５の移行要件があると、画像形成装置は第２の待機状態Ｐ１０３からスタンバイ状態Ｐ１０１に移行する（第１の制御手段）。この第５の移行要件は、例えば、メインスイッチ３０２がユーザによってオンされことである。第５の移行要件があると、電源制御部４１０は画像形成装置に電力を供給して第２の待機状態Ｐ１０３からスタンバイ状態Ｐ１０１に移行する。
【００７５】
省電力状態Ｐ１０２において、所定の第６の移行要件があると、画像形成装置は省電力状態Ｐ１０２から第１の待機状態Ｐ１００に移行する。この第６の移行要件は省電力状態Ｐ１０２である場合に第２の待機状態Ｐ１０３が非有効に設定されていることかつメインスイッチ３０２がオフとされたことである。
【００７６】
第６の移行要件があると、電源制御部４１０は電源制御を行って画像形成装置を省電力状態Ｐ１０２から第１の待機状態Ｐ１００に移行させる。
【００７７】
省電力状態Ｐ１０２において、所定の第７の移行要件があると、画像形成装置は省電力状態Ｐ１０２から第２の待機状態Ｐ１０３に移行する。この第７の移行要件は、例えば、省電力状態Ｐ１０２である場合に第２の待機状態Ｐ１０３が有効に設定されていることかつメインスイッチ３０２がオフされたことである。
【００７８】
第７の移行要件があると、電源制御部４１０は電源制御を行って画像形成装置を省電力状態Ｐ１０２から第２の待機状態Ｐ１０３に移行させる。
【００７９】
［第１実施形態］
図７は、図１に示す画像形成装置において省電力状態から他の状態への遷移の第１の例を説明するためのフローチャートである。
【００８０】
図５〜図７を参照して、いま画像形成装置はスタンバイ状態Ｐ１０１にあるものとする。ＣＰＵ４０１（制御処理部）は省電力状態Ｐ１０２に移行する要件が満たされたか否かを判定する（ステップＳ１０１）。省電力状態Ｐ１０２に移行する要件が満たされないと（ステップＳ１０１において、ＮＯ）、ＣＰＵ４０１は待機する。ここでは、前述のように、ユーザが操作部８００における省エネキー８０４を押下げられるか又は所定の省電力移行時間が経過すると、省電力状態Ｐ１０２に移行する要件が満たされたとする。
【００８１】
省電力状態Ｐ１０２に移行する要件（省電力移行要件）が満たされると（ステップＳ１０１において、ＹＥＳ）、ＣＰＵ４０１は前述の省電力用メモリイメージを作成して、この省電力用メモリイメージをＲＡＭ４０３（主記憶装置：メインメモリ）に格納する（ステップＳ１０２）。
【００８２】
続いて、ＣＰＵ４０１は、電源制御部４１０に対して省電力状態Ｐ１０２に移行する指示を通知して、電源制御部４１０は、第２のスイッチ３０６をオフにする。これによって、画像形成装置が、スタンバイ状態Ｐ１０１から省電力状態Ｐ１０２に移行する。
【００８３】
省電力用メモリイメージは、画像形成装置が省電力状態Ｐ１０２に移行直前のステータスを示すものである。例えば、省電力用メモリイメージには、ＣＰＵ４０１のステータス、ＣＰＵ４０１に接続されている電子デバイスのステータス、およびＯＳとアプリケーションの動作状態が含まれる。省電力状態Ｐ１０２から復帰する際には省電力用メモリイメージを用いて復帰の復元処理が行われる。省電力用メモリイメージのデータ構造はＯＳによって管理されるメモリ領域であってシステムメモリおよびビデオメモリの退避領域が含まれている。
【００８４】
画像形成装置が省電力状態Ｐ１０２となると、電源制御部４１０は省電力モード復帰要因検出部４１１によって省電力状態Ｐ１０２からスタンバイ状態Ｐ１０１に復帰させる省電力状態復帰要因が検出されたか否かを監視する（ステップＳ１０３）。省電力状態復帰要因がなければ（ステップＳ１０３において、ＮＯ）、電源制御部４１０はメインスイッチ３０２がオフとされたか否かを監視する（ステップＳ１０４）。そして、メインスイッチ３０２がオフとされないと（ステップＳ１０４において、ＮＯ）、電源制御部４１０はステップＳ１０３の処理に戻る。
【００８５】
ステップＳ１０３において、省電力状態復帰要因があると（ステップＳ１０３において、ＹＥＳ）、省電力モード復帰要因検出部４１１は電源制御部４１０にスタンバイ状態Ｐ１０１への復帰を指示する。これによって、電源制御部４１０は、第２のスイッチ３０６をオンにする。一方、ＣＰＵ４０１はＲＡＭ４０３に保持した省電力用メモリイメージを用いて復帰動作を行って（ステップＳ１０５）、画像形成装置を省電力状態Ｐ１０２からスタンバイ状態Ｐ１０１に移行させる。
【００８６】
ステップＳ１０４において、メインスイッチ３０２がオフとされると（ステップＳ１０４において、ＹＥＳ）、電源制御部４１０は画像形成装置に第２の待機状態Ｐ１０３が有効に設定されているか否かを判定する（ステップＳ１０７）。第２の待機状態Ｐ１０３が無効であると（ステップＳ１０７において、ＮＯ）、電源制御部４１０は省電力状態から第１の待機状態Ｐ１００に移行すると判定する。そして、電源制御部４１０は、第１の電源３０４をオフにして、省電力状態において電力が供給されているブロックに対する電力供給を断とする（ステップＳ１０８）。これによって、画像形成装置の電源がオフされて、画像形成装置は省電力状態Ｐ１０２から第１の待機状態Ｐ１００に移行する。
【００８７】
第２の待機状態Ｐ１０３が有効に設定されている場合には（ステップＳ１０７において、ＹＥＳ）、電源制御部４１０は、第２の待機状態Ｐ１０３に移行するための準備を開始する。電源制御部４１０は、第２のスイッチ３０６をオンにして、ＣＰＵ４０１およびＨＤＤ４０７などを一時的に起動させる。そして、ＣＰＵ４０１は、ＨＤＤ４０７に予め格納された第２の待機用メモリイメージをＲＡＭ４０３に転送する（ステップＳ１１０）。
【００８８】
第２の待機用メモリイメージのＲＡＭ４０３への転送が完了すると、電源制御部４１０は、第１のスイッチ３０５および第２のスイッチ３０６をオフにして、省電力モード復帰要因検出部４１１などへの電力供給を停止して（ステップＳ１１１）、画像形成装置を第２の待機状態Ｐ１０３にする。
【００８９】
図８は、図１に示す画像形成装置においてメインスイッチ３０２がオンとされた際の起動を説明するためのフローチャートである。
【００９０】
図５、図６、および図８を参照して、ユーザによってメインスイッチ３０２がオンされないと（ステップＳ２０１において、ＮＯ）、起動処理は開始されない。ユーザがメインスイッチ３０２をオンすると（ステップＳ２０１において、ＹＥＳ）、電源制御部４１０は、スタンバイ状態Ｐ１０１に移行するため、第１の電源３０３、第１のスイッチ３０５および第２のスイッチ３０６をオンにして、ＲＯＭ４０２から起動を開始する（ステップＳ２０２）。
【００９１】
続いて、ＣＰＵ４０１は、メインスイッチ３０２のオンによる起動が第２の待機状態Ｐ１０３からの起動か又は第１の待機状態Ｐ１００からの起動かについて確認する（ステップＳ２０３）。具体的には、ＲＯＭ４０２に保存されている第２の待機状態Ｐ１０３を有効にするか否かを示す設定を参照して、第２の待機状態Ｐ１０３からの起動か又は第１の待機状態Ｐ１００からの起動かについて確認する。
【００９２】
第２の待機状態Ｐ１０３からの起動である場合には（ステップＳ２０３において、ＹＥＳ）、ＣＰＵ４０１はＲＡＭ４０３に保持された第２の待機用メモリイメージから起動して（ステップＳ２０４）、画像形成装置を第２の待機状態Ｐ１０３からスタンバイ状態Ｐ１０１に移行する。
【００９３】
第１の待機状態Ｐ１００からの起動である場合には（ステップＳ２０３において、ＮＯ）、初期化状態からの起動であるため、ＣＰＵ４０１は半導体ディスク４０８に格納されたメインプログラムから順次起動して（ステップＳ２０５）、画像形成装置を第１の待機状態Ｐ１００からスタンバイ状態Ｐ１０１に移行する。
【００９４】
このように、第１の実施形態では、省電力状態Ｐ１０２の際に、スタンバイ状態Ｐ１０１への復帰要因がなくメインスイッチ３０２がオフされると、第２の待機状態Ｐ１０３が有効であれば、ＨＤＤ４０７に格納されている第２の待機用メモリイメージ（第１のステータス情報）をＲＡＭ（主記憶装置）４０３に保存した後、第２の待機状態Ｐ１０３に移行する。従って、メインスイッチ３０２が再度オンされた際には、ＣＰＵ４０１はＲＡＭ４０３に保存された第２の待機用メモリイメージを用いて素早く画像形成装置をスタンバイ状態とすることができる。
【００９５】
［第２実施形態］
図９は、図１に示す画像形成装置において省電力状態から他の状態への遷移の第２の例を説明するためのフローチャートである。
【００９６】
図５、図６、および図９を参照して、いま画像形成装置はスタンバイ状態Ｐ１０１にあるものとする。ＣＰＵ４０１は省電力状態Ｐ１０２に移行する要件が満たされたか否かを判定する（ステップＳ３０１）。省電力状態Ｐ１０２に移行する要件が満たされないと（ステップＳ３０１において、ＮＯ）、ＣＰＵ４０１は待機する。
【００９７】
省電力状態Ｐ１０２に移行する要件が満たされると（ステップＳ３０１において、ＹＥＳ）、ＣＰＵ４０１は省電力状態Ｐ１０２に移行する前に、画像形成装置に第２の待機状態Ｐ１０３が有効に設定されているか否かを判定する（ステップＳ３０２）。
【００９８】
第２の待機状態Ｐ１０３の設定が無効であると（ステップＳ３０２において、ＮＯ）、ＣＰＵ４０１は省電力用メモリイメージを作成して、この省電力用メモリイメージをＲＡＭ４０３に格納する（ステップＳ３０３）。続いて、ＣＰＵ４０１は、電源制御部４１０に対して省電力状態Ｐ１０２への移行を通知する。これによって、電源制御部４１０は電源制御を行って、画像形成装置をスタンバイ状態Ｐ１０１から省電力状態Ｐ１０２に移行させる。そして、処理は後述するステップＳ３０５に進む。
【００９９】
第２の待機状態Ｐ１０３の設定が有効であると（ステップＳ３０２において、ＹＥＳ）、ＣＰＵ４０１は省電力用メモリイメージを作成してこの省電力用メモリイメージをＲＡＭ４０３に格納する。さらに、ＣＰＵ４０１は予めＨＤＤ４０７に格納された第２の待機用メモリイメージをＲＡＭ４０３に転送する（ステップＳ３０４）。そして、ＣＰＵ４０１は、電源制御部４１０に対して省電力状態Ｐ１０２への移行を通知する。これによって、電源制御部４１０は、第２のスイッチ３０６をオフにして、画像形成装置をスタンバイ状態Ｐ１０１から省電力状態Ｐ１０２に移行させる。
【０１００】
このように、画像形成装置がスタンバイ状態Ｐ１０１から省電力状態Ｐ１０２に移行する前に、第２の待機用メモリイメージをＲＡＭ４０３に格納しておくことによって、省電力状態Ｐ１０２でメインスイッチ３０２がオフされた場合でも、第２の待機用メモリイメージをＲＡＭ４０３に格納するために第２のスイッチ３０６をオンにする必要がない。これにより、画像形成装置は、省電力状態Ｐ１０２から第２の待機状態Ｐ１０３に速やかに移行することができる。
【０１０１】
画像形成装置が省電力状態Ｐ１０２となると、電源制御部４１０は省電力モード復帰要因検出部４１１によって省電力状態Ｐ１０２からスタンバイ状態Ｐ１０１に復帰させる省電力状態復帰要因が検出されたか否かを監視する（ステップＳ３０５）。省電力状態復帰要因がなければ（ステップＳ３０５において、ＮＯ）、電源制御部４１０はメインスイッチ３０２がオフとされたか否かを監視する（ステップＳ３０６）。そして、メインスイッチ３０２がオフとされないと（ステップＳ３０６において、ＮＯ）、電源制御部４１０はステップＳ３０５の処理に戻る。
【０１０２】
ステップＳ３０５において、省電力状態復帰要因があると（ステップＳ３０３において、ＹＥＳ）、省電力モード復帰要因検出部４１１は電源制御部４１０にスタンバイ状態Ｐ１０１への復帰を指示する。これによって、電源制御部４１０は、第２のスイッチ３０６をオンにする。一方、ＣＰＵ４０１はＲＡＭ４０３に保持した省電力用メモリイメージを用いて復帰動作を行って（ステップＳ３０７）、画像形成装置を省電力状態Ｐ１０２からスタンバイ状態Ｐ１０１に移行させる。
【０１０３】
ステップＳ３０６において、メインスイッチ３０２がオフとされると（ステップＳ３０６において、ＹＥＳ）、電源制御部４１０は画像形成装置に第２の待機状態Ｐ１０３が有効に設定されているか否かを判定する（ステップＳ３０９）。第２の待機状態Ｐ１０３が無効であると（ステップＳ３０９において、ＮＯ）、電源制御部４１０は省電力状態Ｐ１０２から第１の待機状態Ｐ１００に移行すると判定する。そして、電源制御部４１０は、第１の電源３０４をオフにして、省電力状態Ｐ１０２において電力が供給されているブロックに対する電力供給を断とする（ステップＳ３１０）。これによって、画像形成装置は、省電力状態Ｐ１０２から第１の待機状態Ｐ１００に移行する。
【０１０４】
第２の待機状態Ｐ１０３が有効に設定されている場合には（ステップＳ３０９において、ＹＥＳ）、電源制御部４１０は、第１のスイッチ３０５をオフにして、省電力モード復帰要因検出部４１１などへの電力供給を停止して（ステップＳ３１２）、画像形成装置を省電力状態Ｐ１０２から第２の待機状態Ｐ１０３に移行する。
【０１０５】
上述のように、第２の実施形態では、スタンバイ状態Ｐ１０１から省電力状態Ｐ１０２への移行する際に、第２の待機状態Ｐ１０３が有効であれば、省電力用メモリイメージおよび第２の待機用メモリイメージをＲＡＭ４０３に保存する。省電力状態Ｐ１０２の際に、スタンバイ状態Ｐ１０１への復帰要因がなくメインスイッチ３０２がオフされると、第２の待機状態Ｐ１０３が有効であれば、第２の待機状態Ｐ１０３に移行する。
【０１０６】
そして、省電力状態Ｐ１０２の際にスタンバイ状態Ｐ１０１への復帰要因があると、ＣＰＵ４０１はＲＡＭ４０３に保存された省電力用メモリイメージを用いて画像形成装置をスタンバイ状態とする。また、メインスイッチ３０２が再度オンされた際には、ＣＰＵ４０１はＲＡＭ４０３に保存された第２の待機用メモリイメージを用いて画像形成装置をスタンバイ状態Ｐ１０１とする。
【０１０７】
従って、省電力状態Ｐ１０１又は第２の待機状態Ｐ１０３にある際、画像形成装置を素早くスタンバイ状態Ｐ１０１に復帰させることができる。
【０１０８】
なお、上述の説明では、情報処理装置として画像形成装置を例に挙げて説明したが、画像形成装置以外の他の情報処理装置、例えば、パーソナルコンピュータ（ＰＣ）および携帯電話機などにも同様にして適用することができる。
【０１０９】
以上、本発明について実施の形態に基づいて説明したが、本発明は、これらの実施の形態に限定されるものではなく、この発明の要旨を逸脱しない範囲の様々な形態も本発明に含まれる。
【０１１０】
例えば、上記の実施の形態の機能を制御方法として、この制御方法を情報処理装置に実行させるようにすればよい。また、上述の実施の形態の機能を有するプログラムを制御プログラムとして、この制御プログラムを情報処理装置が備えるコンピュータに実行させるようにしてもよい。なお、制御プログラムは、例えば、コンピュータに読み取り可能な記録媒体（記憶媒体）に記録される。
【０１１１】
この際、制御方法および制御プログラムの各々は、少なくとも電源制御ステップおよびモード移行ステップを有することになる。
【０１１２】
また、本発明は、以下の処理を実行することによっても実現される。即ち、上述した実施形態の機能を実現するソフトウェア（プログラム）を、ネットワーク又は各種記録媒体を介してシステム或いは装置に供給し、そのシステム或いは装置のコンピュータ（またはＣＰＵやＭＰＵ等）がプログラムを読み出して実行する処理である。
【符号の説明】
【０１１３】
３０２  メインスイッチ
４００  コントローラ制御部
４０１  ＣＰＵ
４０３  ＲＡＭ
４０７  磁気ディスク（ＨＤＤ）
４０９  デバイス制御部
４１０  電源制御部
４１１  省電力モード復帰要因検出部
８００  操作部
９００  ＬＣＤ表示部
【図１】
0005847501.tif 000002
【図２】
0005847501.tif 000003
【図３】
0005847501.tif 000004
【図４】
0005847501.tif 000005
【図５】
0005847501.tif 000006
【図６】
0005847501.tif 000007
【図７】
0005847501.tif 000008
【図８】
0005847501.tif 000009
【図９】
0005847501.tif 000010